(57)【要約】【課題】  既存のシステムに大幅な変更を加えることなく、払い出し率の異なる複数の遊技機を備える遊技場に適用する新システムへの移行を容易に行える遊技場の管理システム、及び管理方法、管理プログラムを提供する。【解決手段】  通常の払出し率に従って対価を払出す一般遊技機と、通常の払出し率よりも高い第２の払出し率に従って対価を払出す特別遊技機とを遊技場に設置し、ホールコンピュータは、一般遊技機の実働に伴って算出される実際の払出し率を監視すると共に、特別遊技機の使用権利の判定基準となる閾値に前記実際の払出し率が達したか否かに応じて使用権利の有無を設定することを特徴とする。【選択図】  図３
2007175351.tif 000002
【特許請求の範囲】
【請求項１】
遊技の進行に伴い所定の遊技条件が達成されたときに当該遊技に対する対価を予め定めた払出し率に従って遊技者に払出す遊技機と、前記遊技機を管理する管理装置と、を有する遊技場の管理システムであって、
前記遊技機として、第１の払出し率に従って前記対価を払出す一般遊技機と、前記第１の払出し率よりも高い第２の払出し率に従って前記対価を払出す特別遊技機とを前記遊技場に設置し、
前記管理装置は、前記一般遊技機の実働に伴って算出される実際の払出し率を監視すると共に、前記特別遊技機の使用権利の判定基準となる閾値に前記実際の払出し率が達したか否かに応じて前記使用権利の有無を設定することを特徴とする遊技場管理システム。
【請求項２】
前記閾値は前記第１の払出し率よりも低い値に設定され、前記閾値に前記実際の払出し率が所定期間充たなかったことを受けて、前記特別遊技機の使用権利を付与することを特徴とする請求項１に記載の遊技場管理システム。
【請求項３】
前記管理装置は、前記使用権利の付与を受けて、前記特別遊技機の使用権利が得られたとの権利情報を出力することを特徴とする請求項１または２に記載の遊技場管理システム。
【請求項４】
前記管理装置は、前記使用権利が得られたとの権利情報を前記一般遊技機に出力すると共に、この一般遊技機を介して前記遊技者にその権利情報を報知することを特徴とする請求項３に記載の遊技場管理システム。
【請求項５】
前記管理装置は、前記特別遊技機による遊技の開始後、この特別遊技機から払出された対価を計数してその数量を監視すると共に、前記特別遊技機の使用権利を消失させる設定数に前記数量が達していることを受けて、前記特別遊技機の使用権利を剥奪することを特徴とする請求項１から４の何れかに記載の遊技場管理システム。
【請求項６】
前記管理装置は、前記使用権利の剥奪を受けて、前記特別遊技機の使用権利が失われたとの権利情報を出力することを特徴とする請求項５に記載の遊技場管理システム。
【請求項７】
前記管理装置は、前記使用権利が失われたとの権利情報を前記特別遊技機に出力すると共に、この特別遊技機を介して前記遊技者にその権利情報を報知することを特徴とする請求項６に記載の遊技場管理システム。
【請求項８】
前記管理装置との間で通信可能な携帯端末を備え、
前記管理装置は、前記使用権利に関する情報を前記携帯端末に出力することを特徴とする請求項３から７の何れかに記載の遊技場管理システム。
【請求項９】
前記管理装置は、前記特別遊技機の起動を司る制御権を有し、前記使用権利が付与されていないときには、前記特別遊技機の起動を制限することを特徴とする請求項１から８の何れかに記載の遊技場管理システム。
【請求項１０】
前記一般遊技機及び特別遊技機から払出された対価を計数して、この計数された対価を景品価値に換算する換算端末を備え、
前記換算端末は、前記対価を景品価値に換算すると共に、予め定めた比率を前記景品価値に乗じて換算手数料を算出することを特徴とする請求項１から９の何れかに記載の遊技場管理システム。
【請求項１１】
前記一般遊技機及び特別遊技機から払出された対価を計数して、この計数された対価を景品価値に換算する換算端末を備え、
前記換算端末は、前記対価を景品価値に換算すると共に、予め定めた比率を前記対価に乗じて換算手数料を算出することを特徴とする請求項１から９の何れかに記載の遊技場管理システム。
【請求項１２】
前記使用権利の消失に用いられる設定数は、前記景品価値への換算に要する最低換算手数料を保証し得る数量となるように設定されていることを特徴とする請求項１０または１１に記載の遊技場管理システム。
【請求項１３】
遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末と、を有する遊技場の管理システムであって、
前記換算端末は、景品価値への換算と共に予め定めた比率を前記景品価値若しくは対価に乗じて換算手数料を算出することを特徴とする遊技場管理システム。
【請求項１４】
遊技の進行に伴い所定の遊技条件が達成されたときに当該遊技に対する対価を予め定めた払出し率に従って遊技者に払出す遊技機として、第１の払出し率に従って前記対価を払出す一般遊技機と、前記第１の払出し率よりも高い第２の払出し率に従って前記対価を払出す特別遊技機とを遊技場に設置し、さらにこれら遊技機を管理する管理装置を設け、
前記管理装置によって、前記一般遊技機の実働に伴って算出される実際の払出し率を監視すると共に、前記特別遊技機の使用権利の判定基準となる閾値に前記実際の払出し率が達したか否かに応じて前記使用権利の有無を設定することを特徴とする遊技場管理方法。
【請求項１５】
前記閾値として前記第１の払出し率よりも低い値を設定し、前記閾値に前記実際の払出し率が所定期間充たなかったことを受けて前記特別遊技機の使用権利を前記管理装置によって付与することを特徴とする請求項１４に記載の遊技場管理方法。
【請求項１６】
前記使用権利の付与を受けて、前記特別遊技機の使用権利が得られたとの権利情報を前記管理装置によって通知することを特徴とする請求項１４または１５に記載の遊技場管理方法。
【請求項１７】
前記管理装置によって、前記使用権利が得られたとの権利情報を前記一般遊技機に対して通知すると共に、この一般遊技機を介して前記遊技者にその権利情報を報知することを特徴とする請求項１６に記載の遊技場管理方法。
【請求項１８】
前記特別遊技機による遊技の開始後、この特別遊技機から払出された対価を計数してその数量を監視すると共に、前記特別遊技機の使用権利を消失させる設定数に前記数量が達していることを受けて、前記特別遊技機の使用権利を前記管理装置によって剥奪することを特徴とする請求項１４から１７の何れかに記載の遊技場管理方法。
【請求項１９】
前記使用権利の剥奪を受けて、前記特別遊技機の使用権利が失われたとの権利情報を前記管理装置によって通知することを特徴とする請求項１８に記載の遊技場管理方法。
【請求項２０】
前記管理装置によって、前記使用権利が失われたとの権利情報を前記特別遊技機に対して通知すると共に、この特別遊技機を介して前記遊技者にその権利情報を報知することを特徴とする請求項１９に記載の遊技場管理方法。
【請求項２１】
前記管理装置との間で通信可能な携帯端末を設け、
前記管理装置によって前記権利情報を前記携帯端末に通知することを特徴とする請求項１６から２０の何れかに記載の遊技場管理方法。
【請求項２２】
前記使用権利が付与されていないときには、前記管理装置によって前記特別遊技機の起動を制限することを特徴とする請求項１４から２１の何れかに記載の遊技場管理方法。
【請求項２３】
前記一般遊技機及び特別遊技機から払出された対価を計数して、この計数された対価を景品価値に換算する換算端末を設け、
前記換算端末によって、前記一般遊技機及び特別遊技機から払出された対価を計数して、この計数された対価を景品価値に換算すると共に、予め定めた比率を前記景品価値に乗じて換算手数料を算出することを特徴とする請求項１４から２２の何れかに記載の遊技場管理方法。
【請求項２４】
前記一般遊技機及び特別遊技機から払出された対価を計数して、この計数された対価を景品価値に換算する換算端末を設け、
前記換算端末によって、前記一般遊技機及び特別遊技機から払出された対価を計数して、この計数された対価を景品価値に換算すると共に、予め定めた比率を前記対価に乗じて換算手数料を算出することを特徴とする請求項１４から２２の何れかに記載の遊技場管理方法。
【請求項２５】
前記使用権利の消失に用いる設定数は、前記景品価値への換算に要する最低換算手数料を保証し得る対価が前記特別遊技機から払出される値となるように前記管理装置によって設定されていることを特徴とする請求項２３または２４に記載の遊技場管理方法。
【請求項２６】
遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末と、を有する遊技場の管理方法であって、
前記換算端末によって、前記景品価値への換算と共に予め定めた比率を前記景品価値若しくは対価に乗じて換算手数料を算出することを特徴とする遊技場管理方法。
【請求項２７】
遊技の進行に伴い所定の遊技条件が達成されたときに当該遊技に対する対価を予め定めた払出し率に従って遊技者に払出す遊技機として、第１の払出し率に従って前記対価を払出す一般遊技機と、前記第１の払出し率よりも高い第２の払出し率に従って前記対価を払出す特別遊技機とが設置され、さらにこれらの遊技機を管理する管理装置を備えた遊技場の管理に用いられる管理プログラムであって、
前記管理プログラムは、前記一般遊技機の実働に伴って算出される実際の払出し率を前記管理装置に監視させると共に、前記特別遊技機の使用権利の判定基準となる閾値に前記実際の払出し率が達したか否かに応じて前記特別遊技機の使用権利の有無を前記管理装置に設定させることを特徴とする遊技場管理プログラム。
【請求項２８】
前記閾値として前記第１の払出し率よりも低い値が設定され、
前記管理プログラムは、前記閾値に前記実際の払出し率が所定期間充たなかったことを受けて前記特別遊技機の使用権利を前記管理装置に付与させることを特徴とする請求項２７に記載の遊技場管理プログラム。
【請求項２９】
前記使用権利の付与を受けて、前記管理プログラムは、前記特別遊技機の使用権利が得られたとの権利情報を前記管理装置に通知させることを特徴とする請求項２７または２８に記載の遊技場管理プログラム。
【請求項３０】
前記管理プログラムは、前記使用権利が得られたとの権利情報を前記管理装置によって前記一般遊技機に対して通知させると共に、この一般遊技機を介してその権利情報を報知させることを特徴とする請求項２９に記載の遊技場管理プログラム。
【請求項３１】
前記管理プログラムは、前記特別遊技機による遊技の開始後、この特別遊技機から払出された対価を計数してその数量を前記管理装置に監視させると共に、前記特別遊技機の使用権利を消失させる設定数に前記数量が達していることを受けて、前記特別遊技機の使用権利を前記管理装置によって剥奪させることを特徴とする請求項２７から３０の何れかに記載の遊技場管理プログラム。
【請求項３２】
前記使用権利の剥奪を受けて、前記管理プログラムは、前記特別遊技機の使用権利が失われたとの権利情報を前記管理装置に通知させることを特徴とする請求項３０に記載の遊技場管理プログラム。
【請求項３３】
前記管理プログラムは、前記使用権利が失われたとの権利情報を前記管理装置によって前記特別遊技機に対して通知させると共に、この特別遊技機を介してその権利情報を報知させることを特徴とする請求項３１に記載の遊技場管理プログラム。
【請求項３４】
前記管理装置との間で通信可能な携帯端末が設けられ、
前記管理プログラムは、前記管理装置によって前記権利情報を前記携帯端末に通知させることを特徴とする請求項２９から３２の何れかに記載の遊技場管理プログラム。
【請求項３５】
前記管理プログラムは、前記管理装置に前記特別遊技機の起動を司る制御権を与え、
前記使用権利が付与されていないときには、前記管理装置によって前記特別遊技機の起動を制限させることを特徴とする請求項２７から３３の何れかに記載の遊技場管理プログラム。
【請求項３６】
前記一般遊技機及び特別遊技機から払出された対価を計数して、この計数された対価を景品価値に換算する換算端末が設けられ、
前記管理プログラムは、前記換算端末によって前記一般遊技機及び特別遊技機から払出された対価を計数させると共に、この計数された対価を景品価値に換算させ、且つ予め定めた比率を前記景品価値に乗じて換算手数料を算出させることを特徴とする請求項２７から３４の何れかに記載の遊技場管理プログラム。
【請求項３７】
前記一般遊技機及び特別遊技機から払出された対価を計数して、この計数された対価を景品価値に換算する換算端末が設けられ、
前記管理プログラムは、前記換算端末によって前記一般遊技機及び特別遊技機から払出された対価を計数させると共に、この計数された対価を景品価値に換算させ、且つ予め定めた比率を前記対価に乗じて換算手数料を算出させることを特徴とする請求項２７から３４の何れかに記載の遊技場管理プログラム。
【請求項３８】
前記使用権利の消失に用いる設定数は、前記景品価値への換算に要する最低換算手数料を保証し得る数量となるように設定されていることを特徴とする請求項３５または３６に記載の遊技場管理プログラム。
【請求項３９】
遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末とを有する遊技場の前記換算端末で実行可能な管理プログラムであって、
前記管理プログラムは、前記換算端末に対して前記景品価値への換算と共に予め定めた
比率を前記景品価値若しくは対価に乗じて換算手数料を算出させることを特徴とする遊技場管理プログラム。
【発明の詳細な説明】
【技術分野】
【０００１】
本発明は、パチンコ機及びスロットマシーン等の遊技機が設置された遊技場の管理技術に関する。
【背景技術】
【０００２】
遊技を行う施設として、例えば、パチンコ店やアミューズメントホールなどが知られている。
【０００３】
また、これらパチンコ店やアミューズメントホールでは、遊技を楽しむために必要なパチンコ玉やメダル等（以下、遊技媒体と称する）を代金と引替えに貸出し、遊技者はこの借受けた遊技媒体を用いて遊技を楽しんでいる。
【０００４】
また、この種の遊技機は、その遊技性を高める多彩な仕掛けや演出装置を有する他、遊技の進行に伴い所定の遊技条件が達成されたときに当該遊技に対する対価を予め定めた払出し率に従って遊技者に払出す仕組みを備え、遊技者は、借受けた以上の遊技媒体が遊技機から払出されることを期待して遊技を楽しむケースもある。
【０００５】
一方、遊技場では、遊技媒体の貸出しによって得た利益から、遊技に対する対価として遊技者に払出した支出を差引いた分を粗利として、新台入替えなどの設備投資費やスタッフの人権費にあてている。
【０００６】
ところで、近年では、遊技の難解さや、遊技に要する費用の増加に起因した老年層及び若年層の遊技離れが深刻化しており、遊技店の収入は減少傾向にある。このため、大規模店では、多くのスタッフを店内に配置してサービスの向上に努める他、短期間で新台（新規機種）を入替えて固定客や新規顧客を確保している。
【０００７】
しかしながら、小規模経営の遊技店では、スタッフの雇用や新台の入替えに要する費用の確保も困難な状況にあり、既存の経営システムに変わる新たな経営システムが望まれている。
【発明の開示】
【発明が解決しようとする課題】
【０００８】
このため本発明者らは、例えば、十分な対価を得ることなく遊技を終えてしまった遊技者に対して、一時的に高払出し率で対価を払出す特別遊技機を提供する経営システムや、景品交換時にその景品交換に供された対価の一部を手数料として遊技者から貰い受け、この手数料から経費を支出する経営システムの導入を検討している。
【０００９】
しかしながら、既存の店舗は、上記した経営システムの導入に対して配慮がなされておらず、これらを既存のシステムのみで実現するには、多数のスタッフを要する。
【００１０】
とりわけ、上述した特別遊技機の設置においては、各遊技者の状況をスタッフが個別に把握して特別遊技機の使用権利を与える必要があり、また、特別遊技機の使用を特定の遊技者のみに制限する管理者を特別遊技機ごとに配置して監視する必要がある。
【００１１】
また、特別遊技機については、通常の遊技機においてその設定を一時的に変更して特別遊技機に見立てることも可能であるが、現状では、遊技機の稼働中においてその払出し率を外部から操作することは許可されておらず、既存の遊技店に高払出し率の特別遊技機を
設置する場合には、通常の遊技機とは別個に配置せざる得ないといった問題もある。
【００１２】
また、景品交換に供された対価から手数料を貰い受けるシステムの採用では、少なくとも手数料を支出し得る程度の対価を遊技者に残しておく必要があり、スタッフ及び遊技者の協力無くして、この手数料を遊技者に確保させておくことも困難である。
【００１３】
本発明は、上記した技術的課題を解決するため、既存のシステムに大幅な変更を加えることなく、払い出し率の異なる複数の遊技機を備える遊技場に適用する新システムへの移行を容易に行える遊技場の管理システム、管理方法、及び管理プログラムの提供を課題とする。
【課題を解決するための手段】
【００１４】
上記した技術的課題を解決するため、本発明では以下の構成とした。
【００１５】
すなわち本発明は、遊技の進行に伴い所定の遊技条件が達成されたときに当該遊技に対する対価を予め定めた払出し率に従って遊技者に払出す遊技機と、前記遊技機を管理する管理装置と、を有する遊技場の管理システムであって、
前記遊技機として、第１の払出し率に従って前記対価を払出す一般遊技機と、前記第１の払出し率よりも高い第２の払出し率に従って前記対価を払出す特別遊技機とを前記遊技場に設置し、
前記管理装置は、前記一般遊技機の実働に伴って算出される実際の払出し率を監視すると共に、前記特別遊技機の使用権利の判定基準となる閾値に前記実際の払出し率が達したか否かに応じて前記使用権利の有無を設定することを特徴とする。
【００１６】
このように構成された本発明の管理システムによれば、特別遊技機の設置にあたり、遊技機を管理する管理装置によって一般遊技機の稼働状況が把握され、さらにその稼働状況に応じて特別遊技機の使用権利の有無が設定されるため、一般遊技機個々における監視が不要となり特別遊技機の導入に伴うスタッフの労力が軽減される。よって、特別遊技機の導入が容易になる。
【００１７】
また、前記閾値は前記第１の払出し率よりも低い値に設定され、前記閾値に前記実際の払出し率が所定期間充たなかったことを受けて、前記特別遊技機の使用権利を付与するようにしてもよい。
【００１８】
この構成によれば、使用権利の判定基準となる閾値を一般遊技機の払出し率よりも低い値に設定し、且つ実際の払出し率を所定期間監視して閾値に比較するため、遊技に対する対価が十分に得られているか否かを精度よく推定できる。よって、管理装置は、この判定結果に基づき使用権利を正確に設定することができる。
【００１９】
また、前記管理装置は、前記使用権利の付与を受けて、前記特別遊技機の使用権利が得られたとの権利情報を出力する構成を備えてもよい。
【００２０】
また、前記管理装置は、前記使用権利が得られたとの権利情報を前記一般遊技機に出力すると共に、この一般遊技機を介して前記遊技者にその権利情報を報知する構成であってもよい。
【００２１】
また、前記管理装置は、前記特別遊技機による遊技の開始後、この特別遊技機から払出された対価を計数してその数量を監視すると共に、前記特別遊技機の使用権利を消失させる設定数に前記数量が達していることを受けて、前記特別遊技機の使用権利を剥奪してもよい。
【００２２】
この構成では、特別遊技機の使用権利の消失に用いる設定数を有するため、特別遊技機の払出し率を高い払出し率に設定したとしても、特別遊技機による対価の払出しを設定数の範囲内に納めることができ、以て、その管理が容易になる。
【００２３】
また、前記管理装置は、前記使用権利の剥奪を受けて、前記特別遊技機の使用権利が失われたとの権利情報を出力してもよい。
【００２４】
また、前記管理装置は、前記使用権利が失われたとの権利情報を前記特別遊技機に出力すると共に、この特別遊技機を介して前記遊技者にその権利情報を報知するようにも構成できる。
【００２５】
さらに、前記管理装置との間で通信可能な携帯端末を備え、前記管理装置は、前記使用権利に関する情報を前記携帯端末に出力してもよい。
【００２６】
また、前記管理装置は、前記特別遊技機の起動を司る制御権を有し、前記使用権利が付与されていないときには、前記特別遊技機の起動を制限している構成であってもよい。
【００２７】
この構成では、使用権利が付与されていないときに特別遊技機の起動が制限されるため、特別遊技機の使用権利を得た特定の遊技者のみに特別遊技機による遊技を提供することができる。
【００２８】
また、前記一般遊技機及び特別遊技機から払出された対価を計数して、この計数された対価を景品価値に換算する換算端末を備え、前記換算端末は、前記対価を景品価値に換算すると共に、予め定めた比率を前記景品価値に乗じて換算手数料を算出する構成であってよい。
【００２９】
また、前記一般遊技機及び特別遊技機から払出された対価を計数して、この計数された対価を景品価値に換算する換算端末を備え、
前記換算端末は、前記対価を景品価値に換算すると共に、予め定めた比率を前記対価に乗じて換算手数料を算出する構成であってもよい。
【００３０】
これらの構成によれば、景品価値への換算時に、対価若しくは景品価値に基づいて換算手数料を算出するため、景品価値への換算を行った遊技者から確実に換算手数料を得ることができる。
【００３１】
また、前記使用権利の消失に用いられる設定数は、前記景品価値への換算に要する最低換算手数料を保証し得る数量となるように設定するとよい。
【００３２】
この構成によれば、特別遊技機から払出される対価が、最低換算手数料を保証し得る数量となるため、遊技の思わしくなかった遊技者からも確実に換算手数料を取得できる。
【００３３】
また、本発明は、遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末と、を有する遊技場の管理システムであって、
前記換算端末は、景品価値への換算と共に予め定めた比率を前記景品価値若しくは対価に乗じて換算手数料を算出する構成であってもよい。
【００３４】
また、本発明は、遊技の進行に伴い所定の遊技条件が達成されたときに当該遊技に対す
る対価を予め定めた払出し率に従って遊技者に払出す遊技機として、第１の払出し率に従って前記対価を払出す一般遊技機と、前記第１の払出し率よりも高い第２の払出し率に従って前記対価を払出す特別遊技機とを遊技場に設置し、さらにこれら遊技機を管理する管理装置を設け、
前記管理装置によって、前記一般遊技機の実働に伴って算出される実際の払出し率を監視すると共に、前記特別遊技機の使用権利の判定基準となる閾値に前記実際の払出し率が達したか否かに応じて前記使用権利の有無を設定する遊技場の管理方法でもある。
【００３５】
また、前記閾値として前記第１の払出し率よりも低い値を設定し、前記閾値に前記実際の払出し率が所定期間充たなかったことを受けて前記特別遊技機の使用権利を前記管理装置によって付与してもよい。
【００３６】
また、前記使用権利の付与を受けて、前記特別遊技機の使用権利が得られたとの権利情報を前記管理装置によって通知するようにしてもよい。
【００３７】
また、前記管理装置によって、前記使用権利が得られたとの権利情報を前記一般遊技機に対して通知すると共に、この一般遊技機を介して前記遊技者にその権利情報を報知するようにしてもよい。
【００３８】
また、前記特別遊技機による遊技の開始後、この特別遊技機から払出された対価を計数してその数量を監視すると共に、前記特別遊技機の使用権利を消失させる設定数に前記数量が達していることを受けて、前記特別遊技機の使用権利を前記管理装置によって剥奪するようにしてもよい。
【００３９】
また、前記使用権利の剥奪を受けて、前記特別遊技機の使用権利が失われたとの権利情報を前記管理装置によって通知してもよい。
【００４０】
また、前記管理装置によって、前記使用権利が失われたとの権利情報を前記特別遊技機に対して通知すると共に、この特別遊技機を介して前記遊技者にその権利情報を報知してもよい。
【００４１】
また、前記管理装置との間で通信可能な携帯端末を設け、
前記管理装置によって前記権利情報を前記携帯端末に通知してもよい。
【００４２】
また、前記使用権利が付与されていないときには、前記管理装置によって前記特別遊技機の起動を制限するようにしてもよい。
【００４３】
また、前記一般遊技機及び特別遊技機から払出された対価を計数して、この計数された対価を景品価値に換算する換算端末を設け、
前記換算端末によって、前記一般遊技機及び特別遊技機から払出された対価を計数して、この計数された対価を景品価値に換算すると共に、予め定めた比率を前記景品価値に乗じて換算手数料を算出してもよい。
【００４４】
また、前記一般遊技機及び特別遊技機から払出された対価を計数して、この計数された対価を景品価値に換算する換算端末を設け、
前記換算端末によって、前記一般遊技機及び特別遊技機から払出された対価を計数して、この計数された対価を景品価値に換算すると共に、予め定めた比率を前記対価に乗じて換算手数料を算出してもよい。
【００４５】
また、前記使用権利の消失に用いる設定数は、前記景品価値への換算に要する最低換算
手数料を保証し得る対価が前記特別遊技機から払出される値となるように前記管理装置によって設定してもよい。
【００４６】
また、本発明は、遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末と、を有する遊技場の管理方法であって、
前記換算端末によって、前記景品価値への換算と共に予め定めた比率を前記景品価値若しくは対価に乗じて換算手数料を算出するようにしてもよい。
【００４７】
また、本発明は、遊技の進行に伴い所定の遊技条件が達成されたときに当該遊技に対する対価を予め定めた払出し率に従って遊技者に払出す遊技機として、第１の払出し率に従って前記対価を払出す一般遊技機と、前記第１の払出し率よりも高い第２の払出し率に従って前記対価を払出す特別遊技機とが設置され、さらにこれらの遊技機を管理する管理装置を備えた遊技場の管理に用いられる管理プログラムであって、
前記管理プログラムは、前記一般遊技機の実働に伴って算出される実際の払出し率を前記管理装置に監視させると共に、前記特別遊技機の使用権利の判定基準となる閾値に前記実際の払出し率が達したか否かに応じて前記特別遊技機の使用権利の有無を前記管理装置に設定させるプログラム構成であってもよい。
【００４８】
また、前記閾値として前記第１の払出し率よりも低い値が設定され、
前記管理プログラムは、前記閾値に前記実際の払出し率が所定期間充たなかったことを受けて前記特別遊技機の使用権利を前記管理装置に付与させるプログラム構成であってもよい。
【００４９】
前記使用権利の付与を受けて、前記管理プログラムは、前記特別遊技機の使用権利が得られたとの権利情報を前記管理装置に通知させるプログラム構成であってもよい。
【００５０】
また、前記管理プログラムは、前記使用権利が得られたとの権利情報を前記管理装置によって前記一般遊技機に対して通知させると共に、この一般遊技機を介してその権利情報を報知させるプログラム構成であってもよい。
【００５１】
また、前記管理プログラムは、前記特別遊技機による遊技の開始後、この特別遊技機から払出された対価を計数してその数量を前記管理装置に監視させると共に、前記特別遊技機の使用権利を消失させる設定数に前記数量が達していることを受けて、前記特別遊技機の使用権利を前記管理装置によって剥奪させるプログラム構成であってもよい。
【００５２】
また、前記使用権利の剥奪を受けて、前記管理プログラムは、前記特別遊技機の使用権利が失われたとの権利情報を前記管理装置に通知させるプログラム構成であってもよい。
【００５３】
また、前記管理プログラムは、前記使用権利が失われたとの権利情報を前記管理装置によって前記特別遊技機に対して通知させると共に、この特別遊技機を介してその権利情報を報知させるプログラム構成であってもよい。
【００５４】
また、前記管理装置との間で通信可能な携帯端末が設けられ、
前記管理プログラムは、前記管理装置によって前記権利情報を前記携帯端末に通知させるプログラム構成であってもよい。
【００５５】
また、前記管理プログラムは、前記管理装置に前記特別遊技機の起動を司る制御権を与え、
前記使用権利が付与されていないときには、前記管理装置によって前記特別遊技機の起動を制限させるプログラム構成であってもよい。
【００５６】
また、前記一般遊技機及び特別遊技機から払出された対価を計数して、この計数された対価を景品価値に換算する換算端末が設けられ、
前記管理プログラムは、前記換算端末によって前記一般遊技機及び特別遊技機から払出された対価を計数させると共に、この計数された対価を景品価値に換算させ、且つ予め定めた比率を前記景品価値に乗じて換算手数料を算出させるプログラム構成であってもよい。
【００５７】
また、前記一般遊技機及び特別遊技機から払出された対価を計数して、この計数された対価を景品価値に換算する換算端末が設けられ、
前記管理プログラムは、前記換算端末によって前記一般遊技機及び特別遊技機から払出された対価を計数させると共に、この計数された対価を景品価値に換算させ、且つ予め定めた比率を前記対価に乗じて換算手数料を算出させるプログラム構成であってもよい。
【００５８】
また、前記使用権利の消失に用いる設定数は、前記景品価値への換算に要する最低換算手数料を保証し得る数量となるように設定されているプログラム構成であってもよい。
【００５９】
また、本発明は、遊技の進行に伴い所定の遊技条件が達成されたときに当該遊技に対する対価を予め定めた払出し率に従って遊技者に払出す遊技機と、前記遊技機から払出された対価を計数すると共に、この計数された対価を景品価値に換算する換算端末とを有する遊技場の前記換算端末で実行可能な管理プログラムであって、
前記管理プログラムは、前記換算端末に対して前記景品価値への換算と共に予め定めた比率を前記景品価値若しくは対価に乗じて換算手数料を算出させるプログラム構成であってもよい。
【００６０】
なお、上記した課題を解決するための手段に記載した事項は、本発明の技術的思想を逸脱しない範囲で可能な限り組合わせ可能である。
【発明の効果】
【００６１】
このように本発明によれば、既存のシステムに大幅な変更を加えることなく、払い出し率の異なる複数の遊技機を備える遊技場に適用する新システムへの移行を容易に行える遊技場の管理システム、管理方法、及び管理プログラムを提供することができる。
【発明を実施するための最良の形態】
【００６２】
以下、パチンコ機やスロットマシン等が場内に設置された遊技店の管理システム１に本発明を適用した実施の形態について説明する。
【００６３】
まず、図１及び図２に示すように、遊技場の場内には、複数列の島設備Ｌが設けられ、この島設備Ｌに対してパチンコ機およびスロットマシン等の遊技機が設置されている。また、各島設備Ｌは、この島設備Ｌに設置される遊技機に対応して個々に設けられる台コンピュータ４と台コンピュータ４から得た情報を島単位で管理する島コンピュータ５とを有する。
【００６４】
また、場内カウンタＣには、場内の遊技機を監視するカウンタ端末８と、景品交換時に用いられるＰＯＳ端末７（換算機）が設けられ、さらに場内には、カウンタ端末８と無線通信可能なスタッフ用の携帯端末６が設けられている。また、別室には、場内の遊技機を集中管理するホールコンピュータ２と、ホールコンピュータ２およびＰＯＳ端末７等を管理する管理コンピュータ３が設けられている。そして、これら別室のコンピュータ２，３
と場内のコンピュータ４，５，７，８とがハブ９を介してローカルネットワーク等の通信回線によって接続されている。
【００６５】
また、本発明に係る管理システム１は、上記した既存の遊技店に設置される管理システムの他、予め定めた払出し率に従って一般的な遊技を遊技者に提供する一般遊技機３０と、特別の条件が充たされたときにその使用権利が与えられる特別遊技機３１とを備える点で、既存のシステムと異なっている。
【００６６】
なお、ここで「払出し率」とは、遊技に供された遊技媒体の消費数と、遊技の対価として払出された遊技媒体の払出し数との比率である。
【００６７】
また、一般遊技機３０と特別遊技機３１は、遊技の進行に伴い所定の遊技条件が達成されたときに当該遊技に対する対価を予め定めた払出し率に従って遊技者に払出す点で共通しているが、特別遊技機３１は、予め定めた通常の設定（第１の払出し率）に従って対価を払出す一般遊技機３０に対し、この通常の設定よりも高い設定（第２の払出し率）に従って対価を払出す点において一般遊技機３０と異なっている。
【００６８】
つまり、特別遊技機３１を対象とした遊技では、一般遊技機３０に比べて多くの対価が短時間に払出されることになる。
【００６９】
そして、上記した管理コンピュータ３に本発明に係る管理プログラムを導入することで、この管理プログラムがホールコンピュータ２、カウンタ端末８、及びＰＯＳ端末７によって運用される。
＜プログラム構成＞
まず、管理プログラムの説明に先立ち、この管理プログラムを実行するホールコンピュータ２、及びカウンタ端末８について説明する。なお、管理コンピュータ３によって管理されるＰＯＳ端末７については、後に詳述する。また、ホールコンピュータ２及びカウンタ端末８は汎用コンピュータから構成されており、以下の説明ではホールコンピュータ２の説明によってカウンタ端末８の説明に代える。
【００７０】
ホールコンピュータ２は、図３に示すようにホールコンピュータ２全体の制御を司るＣＰＵ（Ｃｅｎｔｒａｌ  Ｐｒｏｃｅｓｓｉｎｇ  Ｕｎｉｔ）１０やメインメモリ（ＭＭ）１１を備える演算処理部１２と、ＣＰＵの処理に必要な基本プログラムを記録するＲＯＭ（Ｒｅａｄ  Ｏｎｌｙ  Ｍｅｍｏｒｙ）１３と、各種処理によって生成されたデータを一時記録するＲＡＭ（Ｒａｎｄｏｍ  Ａｃｃｅｓｓ  Ｍｅｍｏｒｙ）１４と、オペレーティングシステム（ＯＳ）１６や各種アプリケーションプログラム１７を格納するハードディスク１５と、ホールコンピュータ２を操作するためのキーボード／マウス１９と、各種データを表示するディスプレイ２０と、各種データを印刷するプリンター２１と、管理コンピュータ３及び島コンピュータ５とデータの送受信を行う通信インターフェース２２とを有する汎用コンピュータであり、管理コンピュータ３に導入された管理プログラム１８は通信インターフェース２２を介してハードディスク１５に記録される。また、この管理プログラム１８をハードディスク１５から読出し演算処理部１２で処理することで管理プログラム１８が実行されることになる。
【００７１】
続いて、管理プログラムの構成を説明する。
【００７２】
管理プログラム１８（４０）は、図４に示すように、島コンピュータ５を介して各遊技機の情報を集計・監視する監視プログラム４１の他、この監視プログラム４１によって取得した情報に基づき、特別遊技機３１の使用権利の有無を一般遊技機３０個々に対して設定する使用権利設定プログラム４２と、使用権利が付与された場合にその旨（権利情報）
を外部に出力・通知する権利情報出力プログラム４３と、使用権利の有無に応じて特別遊技機３１の使用を制限する特別遊技機管理プログラム４４とを有する。
【００７３】
まず、演算処理部１２は、監視プログラム４１の起動後、監視対象となる一般遊技機３０においてその遊技に消費された遊技媒体の消費数と、この一般遊技機３０から払出された遊技媒体の払出し数から当該遊技機の実働に伴って算出される実際の払出し率を監視する（Ｓ１０１）。
【００７４】
また、この払出し率の監視を続ける一方で、使用権利設定プログラム４２を起動し、算出された実際の払出し率と、特別遊技機３１の使用権利の判定基準となる閾値とを比較する（Ｓ１０２）。また、この払出し率が所定期間閾値に充たなかったことを受けて（Ｓ１０３）、特別遊技機３１に対する使用権利を付与する旨のフラグを成立させる（Ｓ１０４）。
【００７５】
なお、ここで使用権利の設定に適用される閾値について説明すると、この閾値は、一般遊技機３０で採用される通常の払出し率（第１の払出し率）よりも低い値に設定されており、例えば、遊技の開始後、一時間経過しても閾値に充たなかった場合には、この一時間において払出された対価が当初の想定に較べて少ないといえる。すなわち、この一般遊技機３０では、技量や経験に乏しい遊技者又は遊技の結果が不振な遊技者が遊技を行っていたと推定され、本管理プログラム４０では、使用権利設定プログラム４２の実行のもと、この一般遊技機３０に対して特別遊技機３１の使用権利を与えることで、遊技者に対して間接的に特別遊技機３１の使用権利を付与している。
【００７６】
続いて、演算処理部１２は、使用権利の付与フラグの成立に応じて使用権利出力プログラム４３を起動する（Ｓ２００）。
【００７７】
使用権利出力プログラム４３の実行時には、まず、使用権利が付与されたとの権利情報をホールコンピュータ２から島コンピュータ５に出力・通知する（Ｓ２０１）。また、島コンピュータ５は該当の一般遊技機３０に対応して設けられた台コンピュータ４に権利情報を出力・通知し（Ｓ２０２）、この台コンピュータ４を経由して使用権利が付与されたとの権利情報を遊技者に報知する（Ｓ２０３）。
【００７８】
なお、権利情報は、使用権利が得られたとの情報に加え、この使用権利が何れの一般遊技機３０に付与されたかを示す台番号情報と、権利情報の有効期間を示すセッション番号と、後に詳述する暗証番号を含み、ホールコンピュータ２及び島コンピュータ５は権利情報に含まれる台番号情報に基づいて該当する台コンピュータ４に権利情報を出力している。また、生成された権利情報はホールコンピュータ２側にも一時記録され、後の制御に用いられる。
【００７９】
また、台コンピュータ４を経由しての報知は、例えば、一般遊技機３０の上方に設けられた情報表示パネル（図示せず）に権利情報を表示して報知する、及び一般遊技機３０に設けられる枠ランプを点灯して権利情報を報知するなどの構成が考えられる。
【００８０】
また、ホールコンピュータ２は、場内カウンタＣに設置されるカウンタ端末８にも権利情報を出力・通知する（Ｓ２０４）。また、権利情報を取得したカウンタ端末８は、スタッフ用の携帯端末６に対してこの権利情報を送信し（Ｓ２０５）、携帯端末６を所持するスタッフは、携帯端末６に表示される権利情報を参照することで、特別遊技機３１の使用権利の付与された一般遊技機３０を把握することができる。
【００８１】
よって、スタッフは、該当の一般遊技機３０に対して照会作業等を行うことなく即座に
移動でき、該当の一般遊技機３０で遊技を行っている遊技者に対して、特別遊技機３１の使用権利が得られたとの情報を連絡することができる。
【００８２】
続いて、特別遊技機管理プログラム４４について説明する。
【００８３】
本特別遊技機管理プログラム４４は遊技店の開店と同時に起動し（Ｓ３００）、ホールコンピュータ２は、島コンピュータ５および台コンピュータ４を通じて特別遊技機３１の初期設定を行う（Ｓ３０１）。
【００８４】
この初期設定では、特別遊技機３１に投入される主電源のチェックと、特別遊技機３１を実際に稼働させるための副電源のチェックとが行われ、特別遊技機３１の初期設定時には、主電源のみが投入されて初期電源が遮断された待機モードになる。
【００８５】
また、待機モードについて説明すると、待機モードでは、上述のごとく副電源が遮断されているため、仮に特別遊技機３１に対する不正な操作入力があってもその操作入力による遊技が阻止される。すなわち、初期設定時の特別遊技機３１は、遊技が強制的に阻止された状態にある。
【００８６】
続いて、一般遊技機３０による遊技の開始を受けて、特別遊技機３１の使用権利が付与された一般遊技機３０が出現すると（Ｓ３０２）、ホールコンピュータ２は、特別遊技機３１の使用制限の解除に有効な暗証番号をセッション番号に対応つけて作成する（Ｓ３０３）。
【００８７】
なお、ここでセッション番号について補足すると、セッション番号は、例えば開店時から正午にかけての時間帯をセッション番号「１」とし、正午から夕方にかけての時間帯をセッション番号「２」とし、さらに夕方から閉店時にかけての時間帯をセッション番号「３」とするといった時系列に従って割当てられる。
【００８８】
また、暗証番号は、上述のごとくセッション番号に対応して設けられているため、開店後まもないセッションに於いて特別遊技機３１の使用権利が得られたときに、この使用権利の付与に基づきセッション番号「１」を与えると、使用制限の解除に用いられる暗証番号は、当該セッション番号１に対応する時間帯でのみ有効になる。
【００８９】
そして、ホールコンピュータ２は、先の使用権利出力プログラム４３のもと、セッション番号及び暗証番号を含む権利情報をカウンタ端末８に出力・通知する。また、同様にして、カウンタ端末８は、このセッション番号及び暗証番号等を含む権利情報をスタッフ用の携帯端末６に出力・通知する。
【００９０】
よってスタッフ及び場内カウンタＣ側では、使用制限の解除に要する暗証番号を台番号及びセッション番号に対応つけて把握することができる。
【００９１】
また、ここで特別遊技機３１について補足すると、特別遊技機３１には暗証番号を入力するための暗証番号入力部３２が設けられており、暗証番号入力部３２に対して暗証番号が入力されると、ホールコンピュータ２は、台コンピュータ４および島コンピュータ５を通じて暗証番号の入力を認識する（Ｓ３０４）。
【００９２】
また、ホールコンピュータ２は、特別遊技機３１に入力された暗証番号とホールコンピュータ２側に記録されている暗証番号とが同セッション番号において整合したときに（Ｓ３０５、Ｓ３０６）、特別遊技機３１に対して副電源を投入する（Ｓ３０７）。よって特別遊技機３１の制御状態は、以後、実働モードとなり、特別遊技機３１の使用が可能にな
る。
【００９３】
続いて、ホールコンピュータ２は、特別遊技機３１の使用開始後（Ｓ３０８）、台コンピュータ４および島コンピュータ５を通じて特別遊技機３１から払出された対価の数量を監視し（Ｓ３０９）、特別遊技機３１の使用権利を消失させる設定数の払出しが特別遊技機３１からなされたことを受けて（Ｓ３１０）、特別遊技機３１に対する使用権利が失われたとのフラグを立てる（Ｓ３１１）。また、副電源を遮断する（Ｓ３１２）。よって、この副電源の遮断によって、特別遊技機３１は再び待機モードに復帰するため、以後、特別遊技機３１を用いての遊技が阻止されることになる。
【００９４】
そして、ホールコンピュータ２は、使用権利出力プログラム４３のもと、この特別遊技機３１の使用権利が剥奪されたとの権利情報をカウンタ端末８に出力・通知する。また、同様にして、カウンタ端末８は、この権利情報をスタッフ用の携帯端末６に出力・通知する。また、台コンピュータ４によって遊技者に特別遊技機３１の使用権利が消失したとの報知を行う。
【００９５】
このようにホールコンピュータ２は、特別遊技機３１による遊技の開始後、この特別遊技機３１から払出された遊技媒体の数量を監視すると共に、この数量が予め定めた設定数に達したことを受けて、特別遊技機３１の使用権利を剥奪する。
【００９６】
なお、使用権利を消失させる設定数は、例えば、遊技の結果が不振な遊技者や遊技に不慣れな遊技者に於いても、この特別遊技機３１の遊技によってある程度の満足感や充実感が得られる程度の払出し数を適用するとよい。
【００９７】
このように本実施の形態に示す管理システム１では、管理装置として機能するホールコンピュータ２が一般遊技機の実働に伴って算出される実際の払出し率を監視すると共に、特別遊技機３１の使用権利の判定基準となる閾値に実際の払出し率が達したか否かに応じて使用権利の有無を設定することができる。
【００９８】
このため本管理システム１を導入により、一般遊技機３０個々におけるスタッフの監視が不要となり、以て特別遊技機３１の導入に伴うスタッフの労力が軽減される。よって、既存のシステムに対して本管理システム１を導入するといった簡単な作業で特別遊技機３１を導入すること可能になる。
【００９９】
また、ホールコンピュータ２は、使用権利の付与を受けて、特別遊技機３１の使用権利が得られたとの権利情報を出力するため、この権利情報をスタッフが所持する携帯端末６に送信すれば、スタッフを効率よく遊技者のもとに手配できる。また、もちろん一般遊技機や遊技者が所有する携帯端末にこの権利情報を出力することもでき、この場合には、スタッフのみならず遊技者も権利情報について迅速且つ正確に把握することができる。
【０１００】
また、ホールコンピュータ２は、特別遊技機３１による遊技の開始後、この特別遊技機３１から払出された対価を計数してその数量を監視すると共に、特別遊技機３１の使用権利を消失させる設定数にその数量が達していることを受けて特別遊技機３１の使用権利を剥奪するため、特別遊技機３１の払出し率を高い払出し率に設定したとしても、特別遊技機３１による対価の払出しを設定数の範囲内に納めることができ、以て、その特別遊技機の管理が容易になる。
【０１０１】
また、ホールコンピュータ２は、使用権利の剥奪を受けて、特別遊技機３１の使用権利が失われたとの権利情報を出力するため、この権利情報を取得したスタッフ及び遊技者は、当該特別遊技機３１による遊技が終了したことを把握することができる。
【０１０２】
また、ホールコンピュータ２は、特別遊技機３１の使用権利が付与されていないときに、この特別遊技機３１の起動を制限するため、特別遊技機３１の使用権利を得た特定の遊技者のみに特別遊技機３１による遊技を提供することができる。よって、特別遊技機３１を監視するスタッフも不要になることから、この点においてもスタッフを数を減らすことができ、また、特別遊技機３１の導入も容易になる。
【０１０３】
続いて、本実施の形態に係るＰＯＳ端末７について説明する。
【０１０４】
ＰＯＳ端末７は、パチンコ玉やメダルの投入に伴い、これら投入された遊技媒体の数量を数える計数部７１と、遊技媒体の数量を景品価値に換算する換算処理や景品価値への換算時に換算手数料を発生させる換算手数料算出処理等を実行する演算処理部７２と、演算処理部７２で処理された処理の結果を表示パネルに表示する表示部７３と、ホールコンピュータ２との間で処理結果等を入出力する入出力部７４等を備えている。
【０１０５】
計数部７１は、ＰＯＳ端末７に投入された遊技媒体を整列するホッパ機構と、ホッパユニットから整列した状態で排出される遊技媒体を数える計数機構等を備え、不規則に投入された遊技媒体はこの計数部７１を通ることで、その数量が正確に数えられる。
【０１０６】
演算処理部７２は、ＣＰＵやＲＯＭ、ＲＡＭ等の演算処理に要する汎用端末構成部品を備え、換算処理及び換算手数料算出処理等を行うための各種プログラムはＲＯＭに書込まれている。そして、これら各種プログラムの実行によって換算処理及び換算手数料算出処理が実行される。
【０１０７】
表示部７３は、タッチパネルを備えて操作部７６としての機能を有する他、演算処理部７２で実行された各種処理の結果を取得し、この取得した結果を表示パネルに表示することで、遊技者に換算時の情報を提供している。
【０１０８】
入出力部７４は、上記した演算処理部７２での処理に用いられたデータ（数値等）をホールコンピュータ２に出力する機能を備えており、ＰＯＳ端末７内のデータは随時ホールコンピュータ２側で把握することができるようになっている。
【０１０９】
続いて、演算処理部７２で実行する換算処理及び換算手数料算出処理について説明する。
【０１１０】
まず、換算処理について説明すると、換算処理は、演算処理部７２による換算処理プログラムの実行によって実施される。
【０１１１】
まず、演算処理部７２は、遊技媒体の投入を受け（Ｓ４０１）、計数部７１から遊技媒体の数量を取得する（Ｓ４０２）。続いて、この数量に換算係数を乗じて景品価値へ換算する（Ｓ４０３）。
【０１１２】
なお、ここで換算係数とは、景品の価値と、遊技媒体の貸出し時における遊技媒体の価値（貸出し単価）と、遊技の対価として払出された際の価値（対価）と、換算後の単位などの関係に応じて遊技店個々に設定される係数である。
【０１１３】
続いて、この換算結果をＲＡＭに一旦保持して（Ｓ４０４）、続く換算手数料算出処理に移る。換算手数料算出処理では、まず、ＲＡＭから換算結果を読み出し（Ｓ５０１）、予め定めた比率（例えば対価の数％）をこの換算結果に乗じて換算手数料を算出する（Ｓ５０２）。
【０１１４】
そして、この換算手数料を換算結果（景品価値）から差引き（Ｓ５０３）、景品交換に実際に供することのできる実景品価値を得る（Ｓ５０４）。また
換算処理で得た景品価値と、実景品価値と、換算手数料を表示部７３を介して遊技者に表示する（Ｓ５０５）。また、換算処理の過程で算出された換算結果、実景品価値、換算手数料をホールコンピュータ２に出力する（Ｓ５０６）。
【０１１５】
なお、本実施形態では、景品価値への換算時に換算手数料を徴収するため、この換算手数料を支出し得る程度の対価を事前に遊技者に残しておく必要がある。このため本管理システム１では、上記したように、特別遊技機３１を場内に設置し、さらにその使用権利の剥奪に至る期間で、ある程度の対価を遊技者に還元するようにしている。
【０１１６】
すなわち、上述した使用権利の消失に用いられる設定数の設定にあたり、換算手数料算出時において最低換算手数料を保証し得る程度の対価が得られるように設定しておくことで、この換算手数料に供される対価を遊技者に対して遊技を行わせることで確保している。よって、遊技者から確実に換算手数料を貰い受けることができ、もって、換算手数料の管理が容易になる。
【０１１７】
このように本実施の形態に示す管理システムでは、上記した種々のプログラムをホールコンピュータ２及びＰＯＳ端末７で運用することで、既存のシステムに大幅な変更を加えることなく容易に新システムへの乗換えが可能になる。
【０１１８】
なお、上記した実施の形態はあくまでも本発明の一実施の形態であり、その詳細な仕様は遊技店や既存の管理システムに応じて種々変更可能である。また、上記した換算手数料の算出は、ＰＯＳ端末７のみならず、カウンタ端末８やホールコンピュータ２側でおこなってもよい。
【０１１９】
また、上記した実施の形態では、換算手数料を確保すべく特別遊技機３１を導入しているが、必ずしもその必要はなく、換算手数料を算出するＰＯＳ端末７のみを場内に設置して景品価値への換算処理を管理するようにしてもよい。
【図面の簡単な説明】
【０１２０】
【図１】本実施形態に係る場内の概要図。
【図２】本実施形態の管理システム構成図。
【図３】本実施形態に係るホールコンピュータ（カウンタ端末）のハードウェア構成図。
【図４】本実施形態の管理プログラムのプログラム構成を示すブロック図。
【図５】本実施形態に係る監視プログラム及び使用権利設定プログラムを説明するフローチャート。
【図６】本実施形態に係る権利情報出力プログラムを説明するフローチャート。
【図７】本実施形態に係る特別遊技機管理プログラムを説明するフローチャート。
【図８】本実施形態に係るＰＯＳ端末のハードウェア構成図。
【図９】本実施形態に係るＰＯＳ端末内で処理される換算処理プログラムを説明するフローチャート。
【図１０】本実施形態に係るＰＯＳ端末内で処理される換算手数料算出プログラムを説明するフローチャート。
【符号の説明】
【０１２１】
１  管理システム
２  ホールコンピュータ２
４  台コンピュータ４
５  島コンピュータ５
６  携帯端末
７  ＰＯＳ端末
８  カウンタ端末
９  ハブ
１０  ＣＰＵ
１１  メインメモリ
１２  演算処理部７２
１３  ＲＯＭ
１４  ＲＡＭ
１５  ハードディスク
１６  ＯＳ
１７  アプリケーションプログラム
１８  管理プログラム
１９  キーボード／マウス
２０  ディスプレイ
２１  プリンター
２２  通信インターフェース
３０  一般遊技機
３１  特別遊技機
３２  暗証番号入力部
４０  管理プログラム
４１  監視プログラム
４２  使用権利設定プログラム
４３  使用権利出力プログラム
４３  権利情報出力プログラム
４４  特別遊技機管理プログラム
７１  計数部
７２  演算処理部
７３  表示部
７４  入出力部
７６  操作部
Ｃ  場内カウンタ
Ｌ  島設備
【図１】
2007175351.tif 000003
【図２】
2007175351.tif 000004
【図３】
2007175351.tif 000005
【図４】
2007175351.tif 000006
【図５】
2007175351.tif 000007
【図６】
2007175351.tif 000008
【図７】
2007175351.tif 000009
【図８】
2007175351.tif 000010
【図９】
2007175351.tif 000011
【図１０】
2007175351.tif 000012